(57)【要約】  左右耳用信号をそれぞれ再生するスピーカから出力されるクロストーク成分の伝播経路を適切に遮ってクロストーク成分の影響を軽減する。  受聴者の背中および/または後頭部が接触されて用いられる接触部材を備える。この接触部材に、左耳用信号を再生する第１のスピーカおよび右耳用信号を再生する第２のスピーカが設置されると共に、それぞれのスピーカから出力されるクロストーク成分の伝播経路を遮るように伝播阻害物が設置される。
2019124149.tif 000002
【特許請求の範囲】
【請求項１】
受聴者の背中および/または後頭部が接触されて用いられる接触部材を備え、
上記接触部材には、
少なくとも１つ以上の左耳用信号を再生する第１のスピーカおよび少なくとも１つ以上の右耳用信号を再生する第２のスピーカが設置されると共に、
上記第１のスピーカおよび上記第２のスピーカから出力されるクロストーク成分の伝播経路を遮るように伝播阻害物が設置される
音響装置。
【請求項２】
上記接触部材は、１つの部材で構成され、
上記第１のスピーカおよび上記第２のスピーカと上記伝播阻害物は、上記１つの部材に設置される
請求項１に記載の音響装置。
【請求項３】
上記１つの部材は、シートまたはヘッドレストである
請求項２に記載の音響装置。
【請求項４】
上記接触部材は、２つの部材が接続されて構成され、
上記第１のスピーカおよび上記第２のスピーカは、上記２つの部材のうちの一方に設置され、上記伝播阻害物は、上記２つの部材のうちの他方に設置される
請求項１に記載の音響装置。
【請求項５】
上記２つの部材は、シートおよびヘッドレストである
請求項４に記載の音響装置。
【請求項６】
上記伝播阻害物は、位置調整可能に、上記接触部材に設置される
請求項１に記載の音響装置。
【請求項７】
上記伝播阻害物は、少なくとも、上記接触部材に沿った第１の方向、または上記第１の方向に対して略垂直方向である第２の方向、または上記第１のスピーカおよび上記第２のスピーカを結ぶ第３の方向に位置調整可能である
請求項６に記載の音響装置。
【請求項８】
上記伝播阻害物は、着脱自在に、上記接触部材に設置される
請求項１に記載の音響装置。
【請求項９】
上記伝播阻害物は、吸音材で構成される
請求項１に記載の音響装置。
【請求項１０】
上記伝播阻害物は、形状フィット材で構成される
請求項１に記載の音響装置。
【請求項１１】
上記伝播阻害物は、上記接触部材と一体形状である
請求項１に記載の音響装置。
【発明の詳細な説明】
【技術分野】
【０００１】
本技術は、音響装置に関し、詳しくは、左右耳用信号をそれぞれ再生するスピーカから出力されるクロストーク成分の影響を軽減する音響装置に関する。
【背景技術】
【０００２】
スピーカを用いた立体音響再生システム（バーチャルサラウンドシステム）が提案されている。この立体音響再生システムは、左右の２つのスピーカで仮想的にサラウンドを実現できるものである。この立体音響システムの実現において、クロストークキャンセルは課題の一つである。【０００３】
従来、信号処理によってクロストークキャンセルが行われてきたが、フィルタの設計が困難、適用エリアが限定される、また、計算量やメモリ量が割かれる、といった問題があった。この問題に対して、クロストーク成分の伝播経路に阻害物を設置し、クロストークの発生を物理的に防止またはクロストーク成分を減衰させることによって、信号処理によるクロストークキャンセルが不要なシステムを実現することが考えられる。【０００４】
例えば、特許文献１には、天井面に設置された左右のスピーカの間にクロストーク防止用の仕切り板を設ける技術が示されている。この技術においては、左右のスピーカやクロストーク防止用の仕切り板が天井面に設置されるものであって、受聴者と仕切り板との間には隙間があり、クロストーク成分の伝播経路を適切に遮ることが困難である。
【先行技術文献】
【特許文献】
【０００５】
【特許文献１】特開２００８−２７１６００号公報
【発明の概要】
【発明が解決しようとする課題】
【０００６】
本技術の目的は、左右耳用信号をそれぞれ再生するスピーカから出力されるクロストーク成分の伝播経路を適切に遮ってクロストーク成分の影響を軽減することにある。
【課題を解決するための手段】
【０００７】
本技術の概念は、
受聴者の背中および/または後頭部が接触されて用いられる接触部材を備え、
上記接触部材には、
少なくとも１つ以上の左耳用信号を再生する第１のスピーカおよび少なくとも１つ以上の右耳用信号を再生する第２のスピーカが設置されると共に、
上記第１のスピーカおよび上記第２のスピーカから出力されるクロストーク成分の伝播経路を遮るように伝播阻害物が設置される
音響装置にある。【０００８】
本技術は、受聴者の背中および/または後頭部が接触されて用いられる接触部材を備えるものである。この接触部材に、左耳用信号を再生する第１のスピーカおよび右耳用信号を再生する第２のスピーカが設置されると共に、第１のスピーカおよび第２のスピーカから出力されるクロストーク成分の伝播経路を遮るように伝播阻害物が設置される。【０００９】
例えば、伝播阻害物は、吸音材で構成される、ようにされてもよい。この場合、第１のスピーカおよび第２のスピーカから出力されるクロストーク成分が伝播阻害物で吸音されることから、クロストーク成分を効率よく阻害することが可能となる。また、例えば、伝播阻害物は、形状フィット材で構成される、ようにされてもよい。この場合、伝播阻害物は、受聴者が背中や後頭部が接触部材に接触した状態でその接触状態に応じて受聴者の背中や後頭部、後頭部から背中にかけた首後ろ部分に沿った形状に変形するため、第１のスピーカおよび第２のスピーカから出力されるクロストーク成分を効率的に阻害することが可能となる。【００１０】
例えば、接触部材は、１つの部材で構成され、第１のスピーカおよび第２のスピーカと伝播阻害物は、１つの部材に設置される、ようにされてもよい。この場合、例えば、１つの部材は、シートまたはヘッドレストである、ようにされてもよい。また、例えば、接触部材は、２つの部材が接続されて構成され、第１のスピーカおよび第２のスピーカは、２つの部材のうちの一方に設置され、伝播阻害物は、２つの部材のうちの他方に設置される、ようにされてもよい。この場合、例えば、２つの部材は、シートおよびヘッドレストである、ようにされてもよい。【００１１】
このように本技術においては、受聴者の背中および/または後頭部が接触されて用いられる接触部材に、左耳用信号を再生する第１のスピーカおよび右耳用信号を再生する第２のスピーカが設置されると共に、それらのスピーカから出力されるクロストーク成分の伝播経路を遮るように伝播阻害物が設置されるものである。そのため、受聴者と伝播阻害物との間に隙間ができない状態で使用されることから、各スピーカから出力されるクロストーク成分の伝播経路を適切に遮ってクロストーク成分の影響を軽減することが可能となる。【００１２】
なお、本技術において、例えば、伝播阻害物は、位置調整可能に、接触部材に設置される、ようにされてもよい。この場合、例えば、伝播阻害物は、少なくとも、接触部材に沿った第１の方向、またはこの第１の方向に対して略垂直方向である第２の方向、または第１のスピーカおよび上記第２のスピーカを結ぶ第３の方向に位置調整可能である、ようにされてもよい。このように、伝播阻害物が位置調整可能に接触部材に設置されることで、受聴者の背中や後頭部の接触部材への接触位置に応じて伝播阻害物の位置を調整でき、各スピーカから出力されるクロストーク成分の伝播経路を適切に遮ることが可能となる。【００１３】
また、本技術において、例えば、伝播阻害物は、着脱自在に、接触部材に設置される、ようにされてもよい。これにより、伝播阻害物が汚れた場合などの交換作業を容易に行うことが可能となる。なお、伝播阻害物は接触部材と別体形状または一体形状のいずれであってもよい。
【発明の効果】
【００１４】
本技術によれば、左右耳用信号をそれぞれ再生するスピーカから出力されるクロストーク成分の伝播経路を適切に遮ってクロストーク成分の影響を軽減し得る。なお、ここに記載された効果は必ずしも限定されるものではなく、本開示中に記載されたいずれかの効果であってもよい。
【図面の簡単な説明】
【００１５】
【図１】実施の形態としての音響装置の構成例を示す斜視図および側面図である。
【図２】立体音響再生システム（バーチャルサラウンドシステム）における信号処理装置の構成例を示すブロック図である。
【図３】伝播阻害物が位置調整可能に設置されていることを説明するための図である。
【図４】伝播阻害物が形状フィット材で構成されていることを説明するための図である。
【図５】スピーカや伝播阻害物の設置箇所の他の例を説明するための図である。
【発明を実施するための形態】
【００１６】
以下、発明を実施するための形態（以下、「実施の形態」とする）について説明する。なお、説明は以下の順序で行う。
１．実施の形態
２．変形例
【００１７】
＜１．実施の形態＞
［音響装置］
図１（ａ），（ｂ）は、実施の形態としての音響装置１００の構成例を示している。この音響装置１００は、例えば車内に装備されるものであり、シート１１０とヘッドレスト１２０を有している。シート１１０は、腰掛部１１１と背もたれ部１１２からなっている。ヘッドレスト１２０は、シート１１０の背もたれ部１１２の上部中央位置に着脱自在に取り付けられている。
【００１８】
また、シート１１０の背もたれ部１１２の上部であって、ヘッドレスト１２０の取り付け位置を中心としてその両側に、スピーカ１３１Ｌ，１３１Ｒが設置されている。ここで、スピーカ１３１Ｌ，１３１Ｒは、立体音響再生システム（バーチャルサラウンドシステム）を構成しており、スピーカ１３１Ｌは左耳用信号を再生するスピーカであり、スピーカ１３１Ｒは右耳用信号を再生するスピーカである。なお、この例では、左耳用信号を再生するスピーカおよび右耳用信号を再生するスピーカがそれぞれ１個である例を示しているが、それぞれが複数個設置されていてもよい。
【００１９】
スピーカ１３１Ｌには立体音響再生システム（バーチャルサラウンドシステム）を構成する図示しない信号処理装置から左耳用信号が供給されて再生され、スピーカ１３１Ｌからは左耳用信号に対応した音（音波）が出力される。また、スピーカ１３１Ｒには当該信号処理装置から右耳用信号が供給されて再生され、スピーカ１３１Ｒからは右耳用信号に対応した音（音波）が出力される。
【００２０】
図２は、立体音響再生システム（バーチャルサラウンドシステム）における信号処理装置３００の構成の一例を示している。この信号処理装置３００は、音源再生部３０１と、立体音像処理部３０２と、アンプ３０３を有している。電源再生部３０１では、例えば、サラウンド音声信号を構成する５チャネル、７チャネル等の音声信号が再生される。各チャネルの音声信号は立体音像処理部３０２に供給される。
【００２１】
立体音像処理部３０２では、各チャネルの音声信号に対して、バーチャル音像定位処理が施されて、左耳用信号および右耳用信号が生成される。立体音像処理部３０２で得られる左耳用信号はアンプ３０３で増幅されてスピーカ１３１Ｌに供給される。また、立体音像処理部３０２で得られる右耳用信号はアンプ３０３で増幅されてスピーカ１３１Ｒに供給される。
【００２２】
図１に戻って、ヘッドレスト１２０に、スピーカ１３１Ｌおよびスピーカ１３１Ｒから出力されるクロストーク成分の伝播経路を遮るように、伝播阻害物１４０が設置されている。ここでクロストークの伝播経路としては、最も距離が短い首後ろ部分に加え、受聴者の頭部周囲なども伝播経路となりうる。伝播阻害物１４０はスピーカ１３１Lおよびスピーカ１３１Ｒから出力されるクロストーク成分の伝播経路すべてを遮るものとしてもよいし、少なくともクロストーク成分の減衰が比較的小さい上記最短距離を形成する首後ろ経路だけを遮るものとしてもよい。なお、首後ろ部分を遮る際には、首後ろの空間すべてを遮るものとしてもよいし、一部だけを遮るものとしてもよい。この伝播阻害物１４０は、図３、図４に矢印で示すように、スピーカ１３１Ｌおよびスピーカ１３１Ｒが設置されるシートに沿った方向（第１の方向）に、位置調整可能に設置されている。
【００２３】
なお、位置調整可能な方向は、この第１の方向の他に、さらに、図４に矢印で示すように、この第１の方向に対して略垂直方向である水平方向、いわゆるシートに対して（もしくは受聴者にとっての）前後方向（第２の方向）にも位置調整可能とすることも考えられる。また、図３に矢印で示すように、スピーカ１３１Ｌとスピーカ１３１Ｒを結ぶ方向、いわゆる受聴者にとっての左右方向（第３の方向）にも位置調整が可能であるとしてもよい。このように位置調整可能とすることで、受聴者の背中や後頭部の接触部材への接触位置に応じて伝播阻害物１４０の位置を調整でき、各スピーカから出力されるクロストーク成分の伝播経路を適切に遮ることが可能となる。また、伝播阻害物１４０は、ヘッドレスト１２０に対して、着脱自在に設置されてもよい。これにより、伝播阻害物１４０が汚れた場合などの交換作業を容易に行うことが可能となる。
【００２４】
例えば、伝播阻害物１４０を上述の垂直方向および水平方向の２軸方向に位置調整するために、例えばカメラを三脚に固定するための２軸に移動/固定が可能なスライダー構造を用いた周知技術や、上下方向に伸縮するポールの先端に左右方向に位置調整が可能なポールが接続されている２軸に移動/固定が可能な周知技術が適用されることで上記の第１〜第３の方向に適宜位置調整可能とすることができる。そのほか、伝播阻害物１４０をベルクロやベルト、ファスナ、ボタンなどの周知技術を使って第１〜第３の方向に位置調整可能とすることもできる。そのほか３軸方向に移動、回転、回動させる構造物を用いることで位置調整することも当然可能である。ここでいう３軸方向に調整可能な機構・構造については周知技術であるため説明を省略する。
【００２５】
伝播阻害物１４０は、例えば、グラスウールやシンサレート等の吸音材で構成される。このように吸音材で構成されることで、スピーカ１３１Ｌ，１３１Ｒから出力されるクロストーク成分が伝播阻害物１４０で吸音されることから、クロストーク成分を効率よく阻害することが可能となる。
【００２６】
また、伝播阻害物１４０は、例えば、ウレタンなど低反発素材やビーズ等の形状フィット材で構成される。このように形状フィット材で構成されることで、図４に示すように、伝播阻害物は、受聴者の背中や後頭部が接触部材に接触した状態でその接触状態に応じて受聴者の背中や後頭部、後頭部から背中にかけた首後ろ部分に沿った形状に変形することから、スピーカ１３１Ｌ，１３１Ｒから出力されるクロストーク成分を効率よく阻害することが可能となる。
【００２７】
以上説明したように、図１に示す音響装置１００においては、受聴者の背中および/または後頭部が接触されて用いられる接触部材（シート１１０、ヘッドレスト１２０）に、左耳用信号を再生するスピーカ１３１Ｌおよび右耳用信号を再生するスピーカ１３１Ｒが設置されると共に、それらのスピーカ１３１Ｌ，１３１Ｒから出力されるクロストーク成分の伝播経路を遮るように伝播阻害物１４０が設置されるものである。
【００２８】
そのため、受聴者と伝播阻害物１４０との間に隙間ができない状態で使用されることから（図４参照）、各スピーカから出力されるクロストーク成分の伝播経路を適切に遮ってクロストーク成分の影響を軽減でき、良好な立体音響再生の環境を提供できる。なお、好ましくは受聴者と伝播阻害物１４０との間に隙間ができない状態とすることではあるが、当然受聴者と伝播阻害物１４０との間に多少の隙間ができていても本発明の効果を発揮することができることは言うまでもない。
なお、スピーカから出力される音波のうち音像定位に大きく関係するのは高周波数成分であり、この高周波数成分は直進性が高い。そのため、伝播阻害物１４０の設置位置としてクロストークの伝播経路のうちの最短経路の代わりに直進性の高い経路を選択することも可能である。
【００２９】
＜２．変形例＞
なお、上述実施の形態においては、図５（ａ）に示すようにシート１１０の背もたれ部１１２にスピーカ１３１Ｌ，１３１Ｒを設置し、ヘッドレスト１２０に伝播阻害物１４０を設置する例を示した。しかし、図５（ｂ）に示すように、ヘッドレスト１２０にスピーカ１３１Ｌ，１３１Ｒを設置し、シート１１０の背もたれ部１１２に伝播阻害物１４０を設置することも考えられる。
【００３０】
また、図５（ｃ）に示すように、ヘッドレスト１２０にスピーカ１３１Ｌ，１３１Ｒと伝播阻害物１４０の双方を設置することも考えられる。また、図５（ｄ）に示すように、シート１１０の背もたれ部１１２にスピーカ１３１Ｌ，１３１Ｒと伝播阻害物１４０の双方を設置することも考えられる。
【００３１】
なお、図５（ａ）〜（ｄ）では、伝播阻害物１４０が受聴者の首の後ろの全体を遮断していない、つまり受聴者と伝播阻害物１４０との間に多少の隙間ができている例を示しているが、図５（ｅ）に示すように、伝播阻害物１４０が受聴者の首の後ろの全体を遮断するものとしてもよい。なお、この図５（ｅ）は図５（ａ）に対応するものであるが、図示は省略するが図５（ｂ）〜（ｄ）に対応するものも同様に伝播阻害物１４０が受聴者の首の後ろの全体を遮断するものとすることもできる。
【００３２】
また、上述実施の形態においては、音響装置１００が車内に装備される旨を述べたが、この音響装置１００と同様の技術を、家庭内や宿泊施設内、さらには遊園地、ゲームセンター等における音響施設に適用することも可能である。
【００３３】
また、上述実施の形態においては、スピーカ１３１Ｌ，１３１Ｒや伝播阻害物１４０をシート１１０の背もたれ１１２やヘッドレスト１２０に設置する例を示したが、同様に受聴者の背中および/または後頭部が接触した状態で用いられる接触部材、例えばベッド、ソファー、さらにはリュックサック等に設置することも考えられる。
【００３４】
また、上述実施の形態においては、伝播阻害物１４０は、シート１１０の背もたれ部１１２あるいはヘッドレスト１２０に設置されるものであって、これらとは別体形状である例を示した。しかし、伝播阻害物を接触部材と一体形状とする構成も考えられる。
【００３５】
また、本技術は、以下のような構成を取ることもできる。
（１）受聴者の背中および/または後頭部が接触されて用いられる接触部材を備え、
上記接触部材には、
少なくとも１つ以上の左耳用信号を再生する第１のスピーカおよび少なくとも１つ以上の右耳用信号を再生する第２のスピーカが設置されると共に、
上記第１のスピーカおよび上記第２のスピーカから出力されるクロストーク成分の伝播経路を遮るように伝播阻害物が設置される
音響装置。
（２）上記接触部材は、１つの部材で構成され、
上記第１のスピーカおよび上記第２のスピーカと上記伝播阻害物は、上記１つの部材に設置される
前記（１）に記載の音響装置。
（３）上記１つの部材は、シートまたはヘッドレストである
前記（２）に記載の音響装置。
（４）上記接触部材は、２つの部材が接続されて構成され、
上記第１のスピーカおよび上記第２のスピーカは、上記２つの部材のうちの一方に設置され、上記伝播阻害物は、上記２つの部材のうちの他方に設置される
前記（１）に記載の音響装置。
（５）上記２つの部材は、シートおよびヘッドレストである
前記（４）に記載の音響装置。
（６）上記伝播阻害物は、位置調整可能に、上記接触部材に設置される
前記（１）から（５）のいずれかに記載の音響装置。
（７）上記伝播阻害物は、少なくとも、上記接触部材に沿った第１の方向、または上記第１の方向に対して略垂直方向である第２の方向、または上記第１のスピーカおよび上記第２のスピーカを結ぶ第３の方向に位置調整可能である
前記（６）に記載の音響装置。
（８）上記伝播阻害物は、着脱自在に、上記接触部材に設置される
前記（１）から（７）のいずれかに記載の音響装置。
（９）上記伝播阻害物は、吸音材で構成される
前記（１）から（８）のいずれかに記載の音響装置。
（１０）上記伝播阻害物は、形状フィット材で構成される
前記（１）から（９）のいずれかに記載の音響装置。
（１１）上記伝播阻害物は、上記接触部材と一体形状である
前記（１）から（１０）のいずれかに記載の音響装置。
【符号の説明】
【００３６】
１００・・・音響装置
１１０・・・シート
１１１・・・腰掛部
１１２・・・背もたれ部
１２０・・・ヘッドレスト
１３１Ｌ，１３１Ｒ・・・スピーカ
１４０・・・伝播阻害物
３００・・・信号処理装置
３０１・・・音源再生部
３０２・・・体音像処理部
３０３・・・アンプ
【図１】
2019124149.tif 000003
【図２】
2019124149.tif 000004
【図３】
2019124149.tif 000005
【図４】
2019124149.tif 000006
【図５】
2019124149.tif 000007
【国際調査報告】
2019124149.tif 000008
2019124149.tif 000009
2019124149.tif 000010